(57)【要約】【課題】表面に印刷が可能な印刷用付箋シートであって、印刷工程において、付箋の端部が剥離紙から浮き上がったり捲れたりして印刷に不具合が生じることがなく、また、スペースを無駄なく利用することのできるものを提供することを目的とする。【解決手段】付箋Ｓの表面に印刷が可能な印刷用付箋シート１は、付箋Ｓが剥離可能に貼着される剥離紙１０と、裏面の一端部に粘着剤が塗布され、当該裏面が剥離紙１０上に剥離可能に貼着させられた付箋Ｓとからなる。付箋Ｓは二枚一組で、粘着剤の塗布されていない端部同士が切断可能に連設すると共に、粘着部の塗布されている端部を両端とする一のユニット１２を構成している。付箋Ｓを使用するときは、印刷を行った後、ミシン目線１ａ及び切断線１ｂに沿って付箋Ｓを他の付箋Ｓから切り離すと共に、剥離紙１０から剥がす。【選択図】図２
2018008415.tif 000002
【特許請求の範囲】
【請求項１】
付箋の表面に印刷が可能な印刷用付箋シートであって、
上記付箋が剥離可能に貼着される剥離紙と、
裏面の一端部に粘着剤が塗布され、当該裏面が上記剥離紙上に剥離可能に貼着させられた付箋と、からなり、
上記付箋は二枚一組で、粘着剤の塗布されていない端部同士が切断可能に連設すると共に、粘着部の塗布されている端部を両端とする一のユニットを構成している、
ことを特徴とする印刷用付箋シート。
【請求項２】
上記連設する二枚一組の付箋の間には、ミシン目加工が施されている、
請求項１記載の印刷用付箋シート。
【請求項３】
上記連設する二枚一組の付箋の間には、切断箇所を示す目印あるいは線が施されている、
請求項１又は２記載の印刷用付箋シート。
【請求項４】
上記二枚一組からなるユニットを複数、上記剥離紙上に縦横に配設してなる、
請求項１乃至３いずれかの項に記載の印刷用付箋シート。
【請求項５】
上記複数、配設されたユニット同士はハーフカットによって連設している、
請求項４記載の印刷用付箋シート。
【請求項６】
上記剥離紙上において、上記付箋を取り囲む外縁部に、裏面全体に粘着剤が塗布された枠状のシールが貼着されている、
請求項１乃至５いずれかの項に記載の印刷用付箋シート。
【請求項７】
上記枠状のシールは、内側に取り囲む付箋とハーフカットによって連設している、
請求項６記載の印刷用付箋シート。
【請求項８】
上記印刷用付箋シートは、ロール状に巻回されている、
請求項１乃至７いずれかの項に記載の印刷用付箋シート。
【発明の詳細な説明】
【技術分野】
【０００１】
本発明は、プリンタにより付箋の表面に印刷が可能な印刷用付箋シートに関する。
【背景技術】
【０００２】
書物やノートのページに貼り付けて用いられる付箋は、ページを開きやすくしたり、参照箇所を分かりやすくしたりするほか、メモ用紙としても用いられたりしている。
メモ用紙として使用されるときは、表面に手書きでメモ内容が記されることが多いが、手書きでは見栄えの観点から好ましくない場合があるし、複数の付箋に同じ内容を何度も手書きで記すのは面倒な場合もある。また、付箋にゴム印で印字する場合、細かい文字だと潰れて判読不能になってしまう場合があるし、印字する内容ごとにゴム印を用意しなければならない。
【０００３】
この点、例えば、特許文献１では、剥離シートと、前記剥離シートの一方の面に接するように重ねられる粘着剤層を有する基材シートと、を備え、前記基材シートには、その一部を切り離し可能とする切断線が形成され、前記基材シートの前記粘着剤層を有する面には、前記切断線により囲まれた領域ごとに、再貼着及び再剥離可能な粘着剤からなる粘着剤層が形成された粘着部と、非粘着性の非粘着部とが設けられ、かつ、前記基材シートの前記粘着剤層を有する面と反対側の面は、プリンタにより印刷可能な印字面とされることを特徴とする付箋シートが提案されている。
【先行技術文献】
【特許文献】
【０００４】
【特許文献１】特開２０１０−２０１７６１号公報
【発明の概要】
【発明が解決しようとする課題】
【０００５】
上記特許文献１記載の付箋シートによれば、付箋に印刷で文字を記すので、見栄えを良くし、手書きによる労力を削減することができる。
しかしながら、上記特許文献１記載の付箋シートの場合、付箋は基材シートから切断分離可能に形成されるため、付箋周りに余白となる基材シートが設けられていなければならない。そのため、この付箋として利用されない余白の分だけ、印字領域が無駄になる。
【０００６】
そこで、本発明は、表面に印刷が可能な印刷用付箋シートであって、印刷工程において、付箋の端部が剥離紙から浮き上がったり捲れたりして印刷に不具合が生じることがなく、また、印字領域を無駄なく利用することのできるものを提供することを目的とする。
【課題を解決するための手段】
【０００７】
上記目的を達成するため、本発明に係る印刷用付箋シートは、付箋の表面に印刷が可能な印刷用付箋シートであって、上記付箋が剥離可能に貼着される剥離紙と、裏面の一端部に粘着剤が塗布され、当該裏面が上記剥離紙上に剥離可能に貼着させられた付箋と、からなり、上記付箋は二枚一組で、粘着剤の塗布されていない端部同士が切断可能に連設すると共に、粘着部の塗布されている端部を両端とする一のユニットを構成していることを特徴とする。
【０００８】
また、上記連設する二枚一組の付箋の間には、ミシン目加工が施されているものとしてもよい。
【０００９】
また、上記連設する二枚一組の付箋の間には、切断箇所を示す目印あるいは線が施されているものとしてもよい。
切断箇所を示す目印は例えば、ミシン目加工に代えて、切断のガイドラインとなる線を印刷したものであり、後から鋏やカッターで切断するとよい。
【００１０】
また、上記二枚一組からなるユニットを複数、上記剥離紙上に縦横に配設してなるものとしてもよい。
【００１１】
また、上記複数、配設されたユニット同士はハーフカットによって連設しているものとしてもよい。
【００１２】
また、上記剥離紙上において、上記付箋を取り囲む外縁部に、裏面全体に粘着剤が塗布された枠状のシールが貼着されているものとしてもよい。
【００１３】
また、上記枠状のシールは、内側に取り囲む付箋とハーフカットによって連設しているものとしてもよい。
【００１４】
また、上記印刷用付箋シートは、ロール状に巻回されているものとしてもよい。
【発明の効果】
【００１５】
本発明によれば、印刷用付箋シートの印刷工程において、付箋の端部が剥離紙から浮き上がったり捲れたりして、印刷に不具合が生じるのを防ぐことができる。
【図面の簡単な説明】
【００１６】
【図１】本発明の第一の実施形態に係る印刷用付箋シートを示した斜視図である。
【図２】本実施形態に係る印刷用付箋シートを示した斜視図であって、付箋を剥離紙から剥がす様子を示す。
【図３】本発明の第二の実施形態に係る印刷用付箋シートを示した斜視図である。
【図４】本実施形態に係る印刷用付箋シートを示した斜視図であって、付箋を剥離紙から剥がす様子を示す。
【図５】本発明の第三の実施形態に係る印刷用付箋シートを示した斜視図である。
【発明を実施するための形態】
【００１７】
以下、本発明の実施形態に係る印刷用付箋シートについて説明する。
本実施形態に係る印刷用付箋シート１は、図１に示されるように、プリンタによって付箋Ｓの表面に印刷が可能なものである。
なお、図１〜図４はいずれも、付箋Ｓの表面側を示しているところ、付箋Ｓには裏面側の一端部にのみ粘着剤が塗布されているが、図１〜図４では説明の便宜のため、各付箋Ｓの裏面の粘着剤が塗布されている箇所を網掛線によって示している。また、以下において、付箋Ｓの粘着剤が塗布されている側の端部を粘着部、付箋Ｓの粘着剤が塗布されていない側の端部を非粘着部と称することがある。
【実施例１】
【００１８】
本発明の第一の実施形態に係る印刷用付箋シート１は、図１に示されるように、長方形状の剥離紙１０と、剥離紙１０上に剥離可能に貼着させられ、シート状の付箋シート１１として構成された複数の付箋Ｓからなる。
剥離紙１０は、プリンタ専用ラベルや広く一般に用いられている剥離紙であり、基材となる紙、所定の薬剤が塗布され、粘着剤に接する剥離層、剥離層の薬剤が基材に染込むことを防止する目止め層等から構成されている。
また、剥離紙１０のサイズはＡ４サイズ等、各種のサイズに設計することができ、特に限定されない。
【００１９】
剥離紙１０上には、複数の付箋Ｓからなる付箋シート１１が貼着されている、
付箋Ｓは、表面が印字面を構成すると共に、裏面の長さ方向の一端部にのみ粘着剤が塗布された帯状の付箋であり、縦横に配設された複数の付箋Ｓによって付箋シート１１を構成している。
また、付箋Ｓは二枚一組で一のユニット１２を構成する。このユニット１２を構成する二枚一組の付箋Ｓは、粘着剤の塗布されていない非粘着部同士を向かい合わせにした状態で、当該非粘着部を切断可能に連設させると共に、粘着部の塗布されている粘着部同士を両端としている。
【００２０】
ユニット１２を構成する二枚一組の付箋Ｓの非粘着部間には、連設する付箋Ｓ同士を断続的に切断するミシン目加工によって、ミシン目線１ａが形成されている。これにより、付箋Ｓに印刷を施した後、付箋Ｓを使用するときには、連設する二枚の付箋Ｓをミシン目線１ａに沿って容易に切り離すことができる。
【００２１】
なお、ミシン目線１ａと併せて、あるいはミシン目線１ａに代えて、ユニット１２として構成された二枚の付箋Ｓの非粘着部間には、一枚ずつの付箋Ｓに切り離す切断箇所を示す目印あるいは線が施されていてもよい。目印は、付箋Ｓ上に描画された所定の色からなる実線や破線など、利用者によって認識可能な各種の態様によることができる。
【００２２】
また、付箋ユニット１２は、隣接する付箋ユニット１２と、ハーフカットされた切断線１ｂを介して連設している。これにより、付箋Ｓに印刷を施した後、付箋Ｓを使用するときには、連設する付箋Ｓを切断線１ｂに沿って容易に切断して分離させることができる。
【００２３】
なお、付箋Ｓの材質は、本実施形態では紙であるが、プリンタによる印刷が可能であれば、フィルム状のプラスチックなど、広く一般に付箋の材料として使用されているものにも適用可能である。
【００２４】
また、本実施形態では、付箋Ｓは剥離紙１０上に８４枚、縦横に配設してなるが、これに限らず、付箋Ｓや剥離紙１０のサイズ、あるいは商業的な理由等から必要とされる枚数等に応じて適宜な枚数とすることができる。ただし、印刷用付箋シート１は、二枚一組を一のユニットとして剥離紙１０上に貼付されるため、剥離紙１０上に貼付される枚数は必然的に偶数枚となる。
また、付箋Ｓの粘着分の幅は、剥離紙１０やプリンタとの関係で好適な幅とすればよい。また、付箋Ｓ自体のサイズも、一般的なシートのサイズであるＡ４サイズ等のサイズの範囲内であれば、様々なサイズが可能である。
【００２５】
このような構成からなる付箋シート１１においては、付箋シート１１を構成する各付箋Ｓの長さ方向の両端部が付箋Ｓの粘着部によって構成される。即ち、二枚一組の付箋Ｓで構成されたユニット１２は、両端部が粘着部によって構成されることから、複数のユニット１２によって構成される付箋シート１１の両端部もまた、付箋Ｓの粘着部によって構成される。
これにより、付箋シート１１は付箋Ｓの長さ方向において、両端部が剥離紙１０から浮き上がることなく剥離紙１０に貼着しており、付箋Ｓの長さ方向において付箋Ｓが捲れることがない。また、このように付箋ユニット１２の長さ方向の両端部が剥離紙１０に貼着していることから、付箋Ｓの幅方向においても付箋Ｓが捲れることがない。
【００２６】
ここで、印刷用付箋シート１の使用時について説明する。
まず、プリンタに印刷用付箋シート１をセットし、付箋Ｓの印字面たる表面への印刷を実行する。印刷が完了すると、図２に示されるように、印刷を行った付箋Ｓを剥離紙１０から剥がす。このとき、使用する付箋Ｓについて、切断線１ｂを介して幅方向及び長さ方向に連設する付箋Ｓから切断線１ｂに沿って切り離す。また、使用する付箋Ｓとユニット１２を構成し、ミシン目線１ａを介して連設する付箋Ｓからミシン目線１ａに沿って切り離す。
これにより、表面に印刷が施された一枚の付箋Ｓが印刷用付箋シート１から切り出され、使用することができる。
【００２７】
以上の本実施形態に係る印刷用付箋シート１によれば、印刷用付箋シート１の印刷工程において、付箋Ｓの端部が剥離紙１０から浮き上がったり捲れたりして、紙詰まり等の不具合を生じることがない。
また、剥離紙１０上に付箋Ｓが敷き詰められた状態となるため、付箋シート１１上の印字領域を無駄なく利用することができる。
【実施例２】
【００２８】
本発明の第二の実施形態に係る印刷用付箋シート２では、図３に示されるように、付箋シート２１を取り囲む外縁部において、裏面全体に粘着剤が塗布された枠状のシール２３が剥離紙２０上に貼着されている。
なお、本実施形態において、剥離紙２０、付箋シート２１、付箋ユニット２２、ミシン目線２ａ、切断線２ｂは夫々、第一の実施形態における剥離紙１０、付箋シート１１、付箋ユニット１２、ミシン目線１ａ、切断線１ｂに対応し、同様の構成からなる。
【００２９】
付箋シート２１と、付箋シート２１を取り囲むシール２３とは、ハーフカットによる切断線２ｂを介して連設している。これにより、付箋シート２１は、付箋Ｓの幅方向の端部において剥離紙２０から浮き上がらず、印刷時に不具合を生じることがない。
【００３０】
ここで、印刷用付箋シート２の使用時について説明する。
まず、プリンタに印刷用付箋シート２をセットし、所定のプリンタ用ドライバによって印刷を実行する。印刷が完了すると、図４に示されるように、印刷を行った付箋Ｓを剥離紙２０から剥がす。このとき、使用する付箋Ｓについて、切断線２ｂを介して幅方向及び長さ方向に連設する付箋Ｓやシール２３から切断線２ｂに沿って切り離す。さらに、使用する付箋Ｓとユニット２２を構成し、ミシン目線２ａを介して連設する付箋Ｓからミシン目線２ａに沿って切り離す。
これにより、表面に印刷が施された一枚の付箋Ｓが印刷用付箋シート２から切り出され、使用することができる。
【００３１】
本実施形態に係る印刷用付箋シート２によれば、印刷用付箋シート１の印刷工程において、付箋Ｓの端部が剥離紙２０から浮き上がったり捲れたりすることを確実に防止することができる。
また、枠状のシール２３が印刷用付箋シート２のフチを構成する結果、印刷用付箋シート１の印刷工程において、プリンタがフチなし印刷に対応しない場合に好適である。
【００３２】
なお、付箋シート２１とシール２３の間のハーフカットによる切断線２ｂは、本発明の別の実施形態においては設けないものとすることもでき、この場合には、付箋シート２１とシール２３とは互いに分離したものとなる。この場合でも、印刷用付箋シート２の付箋Ｓの幅方向の端部から付箋Ｓまではシール２３の分だけ距離があるので、印刷用付箋シート２の端部において付箋Ｓが剥離紙２０から浮き上がり、印刷に不具合を起こすといった問題を回避することができる。
【００３３】
また、本実施形態において、シール２３は、剥離紙２０から剥離可能である必要はないため、剥離紙上に一体的に形成されていてもよい。
【実施例３】
【００３４】
本発明の第三の実施形態に係る印刷用付箋シート３は、図５に示されるように、剥離紙３０上に貼着された付箋シート３１がロール状に巻回されている。
なお、本実施形態において、剥離紙３０、付箋シート３１、付箋ユニット３２、ミシン目線３ａ、切断線３ｂは夫々、第一の実施形態における剥離紙１０、付箋シート１１、付箋ユニット１２、ミシン目線１ａ、切断線１ｂに対応し、同様の構成からなる。
【００３５】
本実施形態において、印刷用付箋シート３は付箋Ｓの幅方向にロールしており、印刷工程では連続的な印刷が可能である。
なお、ロール状に巻回された印刷用付箋シート３は、巻芯を利用して、巻芯周りに巻回されたものであってもよい。
【００３６】
本実施形態に係る印刷用付箋シート３によってもやはり、印刷用付箋シート３の印刷工程において、付箋Ｓの端部が剥離紙３０から浮き上がったり捲れたりすることを確実に防止することができる。
【００３７】
なお、印刷用付箋シート１の製造、特に量産においては、複数の印刷用付箋シート１を配設した大サイズのシートを裁断するが、この裁断工程は大きく分けて、ロールから裁断する場合と大サイズのシートを積層させて裁断する場合とがあるところ、本実施形態に係る印刷用付箋シート１の製造はどちらの方法によっても可能である。
【符号の説明】
【００３８】
１        印刷用付箋シート
１ａ      ミシン目線
１ｂ      切断線
１０      剥離紙
１１      付箋シート
１２      ユニット
２        印刷用付箋シート
２ａ      ミシン目線
２ｂ      切断線
２０      剥離紙
２１      付箋シート
２２      ユニット
２３      シール
３        印刷用付箋シート
３ａ      ミシン目線
３ｂ      切断線
３０      剥離紙
３１      付箋シート
３２      ユニット
Ｓ        付箋
【図１】
2018008415.tif 000003
【図２】
2018008415.tif 000004
【図３】
2018008415.tif 000005
【図４】
2018008415.tif 000006
【図５】
2018008415.tif 000007